(57)【特許請求の範囲】
【請求項１】
移動端末が基地局および移動通信用交換機を介して通信を行なう移動体通信システムの移動端末クローン検出方法において、
前記移動端末と、前記移動通信用交換機に接続されたデータベース交換機とで、それぞれ前回の認証演算結果を認証用データとして記憶し、
前記移動端末の発信時、前記移動通信用交換機で乱数を生成し、該乱数を前記移動端末に送信し、前記移動端末と前記移動通信用交換機とで、前記乱数と前記それぞれの前回の認証演算結果とによって演算を行ない、前記移動端末から該演算の結果を前記移動通信用交換機に送出し、
前記移動通信用交換機において、前記移動端末と該移動通信用交換機のそれぞれの今回の認証演算結果を比較して、該移動端末を認証することを特徴とする移動端末クローン検出方法。
【請求項２】
前記移動端末の発信時に代えて、該移動端末の位置登録時に前記認証の処理を行なうことを特徴とする請求項１に記載の移動端末クローン検出方法。
【請求項３】
前記認証の判定結果が正常のとき、前回の認証用データを今回の認証用データに書き換えることを特徴とする請求項１に記載の移動端末クローン検出方法。
【請求項４】
移動端末が基地局および移動通信用交換機を介して通信を行なう移動体通信システムにおいて、
前記移動端末と、前記移動通信用交換機に接続されたデータベース交換機とに、それぞれ前回の認証演算結果を認証用データとして記憶する前回データ情報管理部を備え、
前記移動通信用交換機に、移動端末の発信時に、乱数を生成する乱数生成部と、該乱数生成部で生成された乱数を移動端末に送信し、かつ、前記移動端末で前記乱数と前回認証演算結果とで行われた認証演算結果を受信する発信制御部と、前記乱数及び前回認証演算結果をもとに今回認証演算結果を算出する認証演算部と、前記移動端末から受信された認証結果と前記認証演算部から受信した認証演算結果とを比較する認証制御部と、
備えたことを特徴とする移動体通信システム。
【請求項５】
前記移動端末の発信時に代えて、該移動端末の位置登録時に前記乱数を生成する乱数生成部を備えたことを特徴とする請求項４に記載の移動体通信システム。
【請求項６】
前記認証演算結果の比較結果の判定が正常であるとき、前回の認証用データを今回の認証用データに書き換えることを特徴とする請求項４に記載の移動体通信システム。
【発明の詳細な説明】
【０００１】
【発明の属する技術分野】
本発明は、移動通信システムにおける、クローン端末の検出と排除を行なう方法に関するものである。
【０００２】
携帯電話等の移動通信システムにおいては、移動端末の認証キーをコピーして作成されたクローン端末の存在が大きな問題になっている。
【０００３】
そこでクローン端末を確実に検出できるようにするとともに、検出されたクローン端末を使用不可能なようにすることが要求されている。
【０００４】
【従来の技術】
携帯電話等の移動通信システムにおいては、端末ごとに定められている認証キーによって加入者端末を認証し、認証された端末のみを通信可能とする方式がとられている。
【０００５】
図１８は、従来の移動端末の認証方法を示したものであって、１は移動端末、２は基地局、３は移動通信用交換機、４は固定網用交換機、５はデータベース交換機、６はデータ交換機５に属するデータベースである。
【０００６】
移動端末１は、固有の認証キーをそのメモリ上に保持している。またデータベース交換機５は、データベース６内に同じ認証キーを保持している。移動端末１からの発信が生起した場合、基地局２を介して移動通信用交換機３に対して接続要求を発生し（▲１▼）、これによって移動通信用交換機３が、固定網用交換機４，データベース交換機５を介してデータベース６から加入者データを取得する (▲２▼) 。
【０００７】
移動通信用交換機３は、乱数を生成し (▲３▼) 、加入者データ内の認証キーと乱数とから演算を行なって、演算結果Ａを得るとともに (▲４▼) 、この乱数を基地局２を介して移動端末１に送る (▲５▼) 。移動端末１では、そのメモリ内の認証キーと受信した乱数とから演算を行なって、演算結果Ｂを得る (▲６▼) 。
【０００８】
移動端末１は、基地局２を介して移動通信用交換機３に演算結果Ｂを送り (▲７▼) 、移動通信用交換機３では、演算結果Ａと演算結果Ｂとを比較して、一致したとき移動端末１を認証する (▲８▼) 。移動端末１において、着信または位置登録呼が生起した場合も同様である。
【０００９】
【発明が解決しようとする課題】
移動端末側の認証キーは、通常、端末内のメモリ（ＲＯＭ）に予め格納されているが、これに対して、他人の端末内のメモリを複製して他の端末内に実装することによって、他人の加入者番号を窃用して不正使用する方法が密かに行なわれている。このような端末は、交換機側からみた場合、正規端末と全く異ならないため、クローン端末と呼ばれている。
【００１０】
移動端末のメモリをコピーしてクローン端末を作られた場合、認証キーが同一なため、移動通信用交換機側において正常に認証されるので、クローン端末による通信（発信，着信等）が可能になるが、クローン端末は、認証キー等の情報が正規端末と同じなため、従来の認証方式では、クローン端末であることの検出は不可能であった。
【００１１】
本発明は、このような従来技術の課題を解決しようとするものであって、移動通信システムにおいて、クローン端末を確実に検出することができるとともに、検出されたクローン端末を使用不可能なようにすることが可能な、移動端末クローン検出排除方法を提供することを目的としている。
【００１２】
【課題を解決するための手段】
上述のように、認証キーを用いた端末の認証方式によっては、クローン端末を確実に検出，排除することができないので、それぞれの端末（正規端末，クローン端末）のみに存在する他の情報を利用して認証を行なうようにする。
【００１３】
これによって、正規端末とクローン端末とが併存している場合、正規端末がクローン端末より先に本発明方法を利用したときは、クローン端末が使用不可能になる。逆に、クローン端末が先に本発明方法を利用したときは、正規端末が使用不可能になるが、端末に不正（ＮＧ）要因を通知することによって、正規端末利用者がクローン端末の存在を認識することができるとともに、正規端末利用者から通信事業者へ申告することによって、クローン端末の排除を行なうことが可能となる。以下、クローン端末検出可能な認証方法について説明する。
【００１４】
[1] 前回の利用時間（時刻）をキーとする認証方法。
(1) 前回の利用時間（時刻）を移動端末側および交換機側に記憶しておき、次の発呼時または位置登録要求受信時、前回の利用時間（時刻）をキーとして認証する。
【００１５】
図１は、前回の利用時間（時刻）をキーとする認証方法を示したものであって、図１８の場合と同じものを同じ番号で示している。また、図２は、発信要求時にデータ比較を行なう方法を示したものである。以下、前回の利用時間（時刻）をキーとして認証する方法を説明する。
【００１６】
移動端末１内のメモリおよびデータベース交換機５のデータベース（ＤＢ）内に、利用時間（時刻）を登録するメモリを用意して、前回利用時間管理データ領域に、該当電番ごとに前回の利用時間( 時刻) を登録する。そして従来方式と同様の方法で、移動端末１から基地局２を介して移動通信用交換機３に対して、接続要求信号を送出すると同時に、前回利用時間（時刻）のデータを送出する (▲１▼) 。
【００１７】
移動通信用交換機３は、固定網用交換機４を介してデータベース交換機５から加入者データを収集するとともに、前回利用時間（時刻）取得要求を送出することによって (▲２▼) 、前回利用時間管理データから、前回利用時間（時刻）を収集する。移動通信用交換機３は、移動端末１から収集した前回利用時間（時刻）と、データベース交換機５から収集した前回利用時間（時刻）とを照合する (▲４▼) 。
【００１８】
照合結果、正しい場合は、移動通信用交換機３からデータ書換え信号によって、今回の利用時間（時刻）を固定網用交換機４を介してデータベース交換機５に送出し (▲５▼) し、基地局２を介して移動端末１に送出する (▲６▼) 。
【００１９】
データベース交換機５は、データベース内の前回利用時間（時刻）を今回利用時間（時刻）に書き換えて記憶し、移動端末１は、メモリ内の前回利用時間（時刻）を今回利用時間（時刻）に書き換えて記憶する。
【００２０】
以後、正常に通信を行なうが、移動通信用交換機３における照合結果、異常の場合は、移動通信用交換機３から基地局２を介して移動端末１に対して切断復旧信号を送出して、回線の切断復旧を行なう。
【００２１】
(2) 前回の利用時間（時刻）を端末および交換機に記憶しておき、既存方式の認証と同時に前回の利用時間（時刻）をキーとして認証する。
【００２２】
図３は、通常の認証と同時にデータ比較を行なう方法を示したものである。以下、図３に基づいて、従来方式の認証を行なうとともに、前回の利用時間（時刻）をキーとして認証を行なう方法を説明する。
【００２３】
データベース交換機および移動端末に利用時間（時刻）を登録するメモリを用意する。発呼または位置登録要求を受信すると、移動通信用交換機では、データベース交換機から前回利用時間（時刻）のデータを収集する（▲１▼）。
【００２４】
移動通信用交換機では、従来通りの方法で発信または位置登録処理を行ない、移動端末から認証結果通知信号によって、演算結果と前回利用時間（時刻）のデータを受信する（▲２▼）。
【００２５】
移動通信用交換機では、移動端末の演算結果と移動通信用交換機の演算結果との比較によって従来方式の認証を行ない、異常のときは基地局側に切断復旧信号を送出する (▲３▼) 。認証が正常に終了したときは、移動端末から収集した前回利用時間（時刻）と、データベース交換機から収集した前回利用時間（時刻）とを比較する (▲４▼) 。
【００２６】
比較結果、正しい場合は、移動通信用交換機からデータ書換え信号によって、移動端末側に今回の利用時間（時刻）を送出し (▲５▼) 、データベース交換機側に今回の利用時間（時刻）を送出する (▲６▼) 。これによって、移動端末およびデータベース交換機は、データの書換えを行なって、今回の利用時間（時刻）を記憶し、以後、正常に通信を行なう。
【００２７】
データの比較結果、異常のときは、移動通信用交換機から移動端末側に対して切断復旧信号を送出して、回線の切断復旧を行なう。
【００２８】
[2] 前回の利用エリア情報をキーとする認証方法。
前回の利用エリア情報を移動端末側および交換機側に記憶しておき、次の利用時、前回の利用エリア情報をキーとして認証する。
【００２９】
図４は、エリア情報を示したものであって、図１８の場合と同じものを同じ番号で示している。エリア情報としては、基地局単位 (▲１▼) 、ＡＩＣ（エリアコード）単位 (▲２▼) 、移動通信用交換機単位 (▲３▼) が考えられる。この方法の場合の動作概要は、[1] に示された前回の利用時間（時刻）をキーとする認証方式の場合と同様である。
【００３０】
[3] 前回の認証演算結果をキーとする認証方法。
前回の認証演算結果を移動端末側および交換機側に記憶しておき、次の利用時、前回の認証演算結果をキーとして認証を行なう。この方法の場合の動作概要は、[1] に示された前回の利用時間（時刻）をキーとする認証方式の場合と同様である。
【００３１】
[4] 前回の着信電話番号をキーとする認証方法。
前回の着信電話番号を移動端末側および交換機側に記憶しておき、次の利用時、前回の着信電話番号をキーとして認証を行なう。この方法の場合の動作概要は、[1] に示された前回の利用時間（時刻）をキーとする認証方式の場合と同様である。
【００３２】
なお、上記[2],[3],[4] の場合も、[1] の場合と同様に、既存方式の認証と同時に、前回の利用エリア情報, 前回の認証演算結果, 前回の着信電話番号をキーとして認証することができる。
【００３３】
次に、上述の[1] 〜[4] の認証方法を実施して、クローン端末を検出した場合の対処方法について説明する。
【００３４】
[1] 利用者への通知方法。
移動通信用交換機において、認証異常（クローン端末の存在を示す）を検出したとき、異常通知を移動端末および保守センタに通知する。
【００３５】
図５は、利用者への通知方法を示したものであって、図１８の場合と同じものを同じ番号で示し、図中、７は保守センタである。
【００３６】
移動通信用交換機３において、データベース側の前回データと、移動端末側の前回データとを照合して（▲１▼）、異常検出時（▲２▼）、基地局２を介して移動端末１に異常通知を行なうとともに（▲３▼）、固定網用交換機４を介して保守センタ７に異常通知を行なう（▲４▼）。この場合の異常通知方法としては、移動端末および保守センタにおいてディプレイ上に表示する方法、または音声によって通知する方法を用いることができる。
【００３７】
[2] 該当端末の発信停止方法。
(1) 移動通信用交換機において、該当加入者データに発信停止の表示を行なう。
【００３８】
図６は、交換機からの自動発信停止方法を示したものであって、図１８の場合と同じものを同じ番号で示している。
【００３９】
データベース側の前回データと移動端末側の前回データとの照合結果、ＮＧであったとき (▲１▼) 、認証異常を検出する (▲２▼) 。移動通信用交換機３は、発信停止要求を固定網用交換機４を介してデータベース交換機５に送出し (▲３▼) 、これによって、データベース交換機５はデータベース６において、対応する電番に、「発信停止」を表示する。
【００４０】
(2) 正規利用者がパスワードを投入して、データベース交換機内の前回データを書き換える。
【００４１】
図７は、データベース交換機内のデータ変換方法を示したものであって、図１８の場合と同じものを同じ番号で示している。
【００４２】
データベース交換機５におけるデータベース内管理データに、データ書換え用パスワードを登録するエリアを設け、加入者契約時等に予め加入者が任意に定めるパスワードを登録しておく。なお、以後のパスワード変更も、特番等によって可能とする。
【００４３】
正規利用者は、移動端末１から基地局２を経て移動通信用交換機３に特番とパスワードとを投入する (▲１▼) 。これによって移動通信用交換機３からパスワード取得要求が、固定網用交換機４，データベース交換機５を経て送られることによって (▲２▼) 、データベース内管理データから、電番に対応するパスワードが、移動通信用交換機３に返送される (▲３▼) 。
【００４４】
移動通信用交換機３は、データベース側のパスワードと、移動端末が投入したパスワードとを照合して、一致したとき、データ書換えを許容するとともに、発信停止解除を設定する (▲４▼) 。これによって、移動通信用交換機３から固定網用交換機４，データベース交換機５を経てデータ書換えを指示することによって、データベース内管理データにおける電番対応の前回データを、移動端末１からパスワードとともに送出された端末内データによって書き換える (▲５▼) 。これによってクローン端末は発信不可能になる。
【００４５】
また、移動通信用交換機３から固定網用交換機４，データベース交換機５を経て発信停止解除を指示することによって、(1) の処理によって、正規加入者が発信停止になっている場合は、加入者管理データにおいて、電番対応に発信停止解除を設定する (▲５▼) 。これによって、正規加入者端末は発信可能となる。
【００４６】
以下、本発明の課題を解決するための具体的手段とその作用とを記述する。
【００４７】
(1) 移動端末１が基地局２および移動通信用交換機３を介して通信を行なう移動体通信システムにおいて、移動端末１と、移動通信用交換機３に接続されたデータベース交換機５において、それぞれ前回の利用時刻または利用時間を認証用データとして記憶し、移動端末１の発信時、移動通信用交換機３において、移動端末１とデータベース交換機５とのそれぞれの前回利用時刻または利用時間を比較して一致したとき、移動端末１を認証する。
【００４８】
このように、移動端末の認証方法として、前回の利用時刻または時間を利用して認証を行なうので、確実にクローン端末を検出することができる。
【００４９】
(2) (1) の場合に、利用時刻として、発信時刻または位置登録時刻または着信時刻を用い、利用時間として通話時間を用いることができる。
【００５０】
(3) 移動端末１が基地局２および移動通信用交換機３を介して通信を行なう移動体通信システムにおいて、移動端末１と、移動通信用交換機３に接続されたデータベース交換機５において、それぞれ前回の利用エリア情報を認証用データとして記憶し、移動端末１の発信時、移動通信用交換機３において、移動端末１とデータベース交換機５とのそれぞれの前回利用エリア情報を比較して一致したとき、移動端末１を認証する。
【００５１】
このように、移動端末の認証方法として、前回の利用エリア情報を利用して認証を行なうので、確実にクローン端末を検出することができる。
【００５２】
(4) (3) の場合に、利用エリア情報として、移動端末が利用する基地局を示す基地局番号、または基地局が属するエリアを示すエリア識別番号、または基地局またはエリアが属する移動通信用交換機を示す移動通信用交換機番号を用いることができる。
【００５３】
(5) 移動端末１が基地局２および移動通信用交換機３を介して通信を行なう移動体通信システムにおいて、移動端末１と、移動通信用交換機３に接続されたデータベース交換機５において、それぞれ前回の認証演算結果を認証用データとして記憶し、移動端末１の発信時、移動通信用交換機３において乱数を生成し、移動端末１と移動通信用交換機３とにおいて、乱数とそれぞれの前回の認証演算結果とによって演算を行ない、移動通信用交換機３において、移動端末１と移動通信用交換機３のそれぞれの今回の認証演算結果を比較して一致したとき、移動端末１を認証する。
【００５４】
このように、移動端末の認証方法として、前回の認証演算結果を利用して認証を行なうので、確実にクローン端末を検出することができる。
【００５５】
(6) 移動端末１が基地局２および移動通信用交換機３を介して通信を行なう移動体通信システムにおいて、移動端末１と、移動通信用交換機３に接続されたデータベース交換機５において、それぞれ前回の着信電話番号を認証用データとして記憶し、移動端末１の発信時、移動通信用交換機３において、移動端末１と、データベース交換機５とのそれぞれの着信電話番号を比較して一致したとき、移動端末１を認証する。
【００５６】
このように、移動端末の認証方法として、前回の着信電話番号を利用して認証を行なうので、確実にクローン端末を検出することができる。
【００５７】
(7) (1) 〜(6) の場合に、移動端末１の発信時に代えて、移動端末１の位置登録時に認証の処理を行なうことができる。
【００５８】
(8) (1) 〜(7) の場合に、認証用データを、移動端末１の発信時または位置登録時、移動端末１から最初に送られる信号に乗せて送出することによって、認証の処理を行なうようにすることができる。
【００５９】
(9) (1) 〜(7) の場合に、移動端末１の接続要求時、移動端末１と移動通信用交換機３とにおいて固有の認証キーを用いて認証演算を行ない、移動端末１から認証結果通知信号によって演算結果と認証用データとを移動通信用交換機３に送ることによって、移動通信用交換機３において、移動端末１側の演算結果と移動通信用交換機３側の演算結果とによって認証の処理を行なって正常終了時、移動端末１側の認証用データと移動通信用交換機３側の認証用データとを比較して、一致したとき、移動端末１を認証するようにすることができる。
【００６０】
(10) (1) 〜(9) の場合に、移動端末１およびデータベース交換機５に、それぞれ前回の認証用データを記憶する前回データ情報管理部１１，５１を設け、認証処理時、前回データ情報管理部１１，５１から移動通信用交換機３に前回の認証用データを通知するようにすることができる。
【００６１】
(11) (10)の場合に、認証処理の正常終了時、各前回データ情報管理部１１，５１における前回の認証用データを今回の認証用データに書き換えるようにすることができる。
【００６２】
(12) (1) 〜(11)の場合に、移動端末１と移動通信用交換機３との間における認証異常時、移動通信用交換機３から保守センタ７に異常通知を行なうことによって、保守センタ７において異常情報を表示するとともに、移動通信用交換機３において移動端末１への異常通知の可否を判定し、通知可のとき、基地局２を介して移動端末１に異常通知を行なうことによって、移動端末１において異常情報を音声または表示によって通知する。
【００６３】
このように、クローン移動端末の検出時、移動端末と保守センタに異常通知を行なうので、クローン端末の存在を認識することができる。
【００６４】
(13) 移動端末１が基地局２および移動通信用交換機３を介して通信を行なう移動体通信システムにおいて、移動端末１と移動通信用交換機３との間における認証異常時、移動通信用交換機３に接続されたデータベース交換機５において該当電番について発信停止を表示することによって、該当加入者を自動的に発信停止にする。
【００６５】
このように、クローン移動端末の検出時、該当加入者を自動的に発信停止にするので、クローン端末での悪用を防止することができる。
【００６６】
(14) 移動端末１が基地局２および移動通信用交換機３を介して通信を行なう移動体通信システムにおいて、移動通信用交換機３が、利用者が移動端末１から投入したパスワードと、移動通信用交換機３に接続されたデータベース交換機５に記憶されているパスワードとの照合一致を検出したとき、移動端末１における利用者の正当性を確認する。
【００６７】
このように、パスワードを用いることによって、移動端末１における利用者の正当性を確認することができる。
【００６８】
(15) (14)の場合に、移動端末１が基地局２および移動通信用交換機３を介して通信を行なうとともに、移動端末１と移動通信用交換機３のそれぞれにおける認証用データの比較一致によって移動端末１を認証する移動体通信システムにおいて、パスワードの照合一致時、データベース交換機５における前回の認証用データを移動端末１の前回の認証用データに書き換える。
【００６９】
このように、パスワードを用いることによって、クローン端末があった場合、センタへの申請等を行なわなくても、正規加入者がクローン端末を使用不能にすることができる。
【００７０】
(16) (14)の場合に、移動端末１が基地局２および移動通信用交換機３を介して通信を行なうとともに、移動端末１と移動通信用交換機３との間における認証異常時、移動通信用交換機３に接続されたデータベース交換機５において該当電番について発信停止を表示することによって、該当加入者を自動的に発信停止にする移動体通信システムにおいて、パスワードの照合一致時、データベース交換機５における発信停止の表示を解除する。
【００７１】
このように、パスワードを用いることによって、クローン端末があった場合、センタへの申請等を行なわなくても、正規加入者が使用可能になる。
【００７２】
【発明の実施の形態】
以下、本発明のクローン端末検出のための認証方法について説明する。
【００７３】
Ｉ．本発明の実施形態(1) として、前回の利用時間（時刻）をキーとする認証方法を説明する。この場合の利用時間（時刻）としては、発信時刻，位置登録時刻，着信時刻，通話時間等を用いることができる。以下においては、発信時刻をキーとする場合を例として説明する。
【００７４】
図８は、前回の発信時刻をキーとする認証方法（発呼要求時データ比較を行なう方法）を示したものであって、図１８の場合と同じものを同じ番号で示している。図中、移動端末１において、１１は前回データ情報管理部である。移動通信用交換機３において、３１は対基地局信号送受信部、３２は発信制御部、３３は対交換機信号送受信部、３４はデータベース制御部、３５は認証（データ照合）制御部、３６は受信時間測定部である。データベース交換機５において、５１は前回データ情報管理部、５２は加入者データ管理部である。
【００７５】
[1] 移動端末１から、発呼要求信号に前回発信時刻を設定して送出する((1)) 。
[2] 移動通信用交換機３の対基地局信号送受信部３１において発呼要求信号を受信して((2)) 、発信制御部３２を起動する((3)) 。
[3] 発信制御部３２はデータベース制御部３４を起動し((4)) 、データベース制御部３４から、対交換機信号送受信部３３，固定網用交換機４を介して、データベース交換機５の前回データ情報管理部５１に対して、前回発信時刻の収集要求を行なう((5),(6),(7)) 。
【００７６】
[4] データベース交換機５の前回データ情報管理部５１において、該当加入者の前回発信時刻を検索し、固定網用交換機４を経て、移動通信用交換機３において対交換機信号送受信部３３を介してデータベース制御部３４に送出し((8),(9),(10))、データベース制御部３４から発信制御部３２に通知する((11))。
[5] 発信制御部３２から、移動端末１から受信した前回発信時刻と、データベース制御部３４から受信した前回発信時刻とを設定して、認証（データ照合）制御部３５を起動する((12))。
【００７７】
[6] 認証（データ照合）制御部３５は、移動端末１側の前回発信時刻とデータベース制御部３４側の前回発信時刻とを比較し、比較結果を設定して発信制御部３２を起動する((13))。
[7] 発信制御部３２において比較結果を判定し、判定結果が正常であれば、受信時間測定部３６を起動して((14))、今回の発信時刻を収集する((15))。
【００７８】
[8] 発信制御部３２において収集した発信時刻を設定して、データベース制御部３４を起動し((16))、データベース制御部３４から対交換機信号送受信部３３，固定網用交換機４を介して、データベース交換機５に今回発信時刻を送出する((17),(18),(19))。また、対基地局信号送受信部３１，基地局２を介して移動端末１に今回発信時刻を送出する((20),(21),(22))。今回発信時刻を受信したデータベース交換機５および移動端末１は、それぞれ前回データ情報管理部５１，前回データ情報管理部１１において、前回発信時刻を今回発信時刻に書き換える。以上によって、認証ＯＫとなり、以後、正常に通信を行なう。
【００７９】
[9] 移動通信用交換機３の発信制御部３２において、対交換機信号送受信部３３から固定網用交換機４を経て、発呼要求信号を送出する((23),(24),(25))。
【００８０】
II. 本発明の実施形態(2) として、前回の利用エリア情報をキーとする認証方法を説明する。この場合の利用エリア情報としては、移動端末が利用する基地局を示す基地局番号, 基地局が属するエリアを示すエリア識別番号（エリアコード）, 基地局またはエリアが属する移動通信用交換機を示す移動通信用交換機番号等を用いることができる。以下においては、基地局番号をキーとする場合を例として説明する。
【００８１】
図９は、前回の利用基地局番号をキーとする認証方法（発呼要求時データ比較を行なう方法）を示したものであって、図８の場合と同じものを同じ番号で示している。図中、移動通信用交換機３において、３７は基地局インタフェース→基地局番号変換部である。
【００８２】
[1] 移動端末１から、発呼要求信号に前回利用基地局番号を設定して送出する((1)) 。
[2] 移動通信用交換機３の対基地局信号送受信部３１において発呼要求信号を受信して((2)) 、発信制御部３２を起動する((3)) 。
[3] 発信制御部３２はデータベース制御部３４を起動し((4)) 、データベース制御部３４から対交換機信号送受信部３３，固定網用交換機４を介して、データベース交換機５の前回データ情報管理部５１に対して、前回利用基地局番号収集要求を行なう((5),(6),(7)) 。
【００８３】
[4] 前回データ情報管理部５１において、該当加入者の前回利用基地局番号を検索して、固定網用交換機４を経て、移動通信用交換機３において、対交換機信号送受信部３３を介してデータベース制御部３４に送出し((8),(9),(10))、データベース制御部３４から発信制御部３２に通知する((11))。
[5] 発信制御部３２から、移動端末１から受信した前回利用基地局番号と、データベース制御部３４から受信した前回利用基地局番号とを設定して、認証（データ照合）制御部３５を起動する((12))。
【００８４】
[6] 認証（データ照合）制御部３５は、移動端末１側の前回利用基地局番号と、データベース制御部３４側の前回利用基地局番号とを比較し、比較結果を設定して発信制御部３２を起動する((13))。
[7] 発信制御部３２において比較結果を判定して、判定結果が正常であれば、基地局インタフェース→基地局番号変換部３７を起動して((14))、今回の利用基地局番号を収集する((15))。
【００８５】
[8] 発信制御部３２において収集した基地局番号を設定して、データベース制御部３４を起動し((16))、データベース制御部３４から対交換機信号送受信部３３，固定網用交換機４を介して、データベース交換機５に今回利用基地局番号を送出する((17),(18),(19) 。また、対基地局信号送受信部３１，基地局２を介して移動端末１に今回利用基地局番号を送出する(20),(21),(22)) 。今回利用基地局番号を受信したデータベース交換機５および移動端末１は、それぞれ前回データ情報管理部５１，前回データ管理部１１において、前回利用基地局番号を今回利用基地局番号に書き換える。以上によって認証ＯＫとなり、以後、正常に通信を行なう。
【００８６】
[9] 移動通信用交換機３の発信制御部３２において、対交換機信号送受信部３３，固定網用交換機４を経て、発呼要求信号を送出する((23),(24),(25))。
【００８７】
III.本発明の実施形態(3) として、前回の認証演算結果をキーとする認証方法を説明する。この場合は、既存の認証方式を実行して、算出された認証演算結果を次回の認証キーとして認証を行なう。
【００８８】
図１０は、前回の認証演算結果をキーとする認証方法を示したものであって、図８の場合と同じものを同じ番号で示している。図中、移動通信用交換機３において、３８は乱数生成部、３９は認証演算部である。
【００８９】
[1] 移動端末１から既存の方法に従って発呼要求信号を送出する((1)) 。
[2] 移動通信用交換機３の対基地局信号送受信部３１において、発呼要求信号を受信して((2)) 、発信制御部３２を起動する((3)) 。
[3] 発信制御部３２はデータベース制御部３４を起動し((4)) 、データベース制御部３４から、対交換機信号送受信部３３，固定網用交換機４を介して、データベース交換機５の前回データ情報管理部５１に対して、前回認証演算結果収集要求を行なう((5)) 。
【００９０】
[4] 前回データ情報管理部５１において、該当加入者の前回認証演算結果を検索し、固定網用交換機４を経て、移動通信用交換機３において、対交換機信号送受信部３３を介して、データベース制御部３４に送出し((6)) 、データベース制御部３４から発信制御部３２に通知する((7)) 。
[5] 発信制御部３２から乱数生成部３８を起動して((8)) 、乱数を収集する((9)) 。
[6] 発信制御部３２から、乱数を設定した認証要求信号を、対基地局信号送受信部３１，基地局２を介して、移動端末１に送信する((10),(11),(12))。
【００９１】
[7] 移動端末１は、前回認証演算結果と乱数をキーとして演算を行なって、演算結果を設定した認証結果通知信号を基地局２に送出する((13))。
[8] 移動通信用交換機３の対基地局信号送受信部３１において、認証結果通知信号を基地局２から受信して((14))、発信制御部３２を起動する((15))。
[9] 発信制御部３２は、データベース制御部３４から収集した前回認証演算結果と乱数を設定して、認証演算部３９を起動する((16))。
【００９２】
[10]認証演算部３９は、乱数と前回認証演算結果をもとに今回認証演算結果を算出して、発信制御部３２に通知する((17))。
[11]発信制御部３２は、移動端末１から受信した認証演算結果と、認証演算部３９から受信した認証演算結果とを設定して、認証（データ照合）制御部３５を起動する((18))。
[12]認証（データ照合）制御部３５において、認証演算結果の比較を行ない、比較結果を発信制御部３２に通知する((19))。
【００９３】
[13]発信制御部３２において比較結果を判定し、判定結果が正常であれば、今回認証演算結果を設定して、データベース制御部３４を起動し((20))、データベース制御部３４から対交換機信号送受信部３３，固定網用交換機４を介して今回認証演算結果をデータベース交換機５に送出する((21))。また、発信制御部３２から対基地局信号送受信部３１，基地局２を介して、移動端末１に今回認証演算結果を送出する((22),(23),(24))。今回認証演算結果を受信したデータベース交換機５および移動端末１は、それぞれ前回データ情報管理部５１，前回データ情報管理部１１において、前回認証演算結果を今回認証演算結果に書き換える。以上によって認証ＯＫとなり、以後、正常に通信を行なう。
【００９４】
[14]移動通信用交換機３の発信制御部３２において、対交換機信号送受信部３３から固定網用交換機４を経て、発呼要求信号を送出する((25),(26),(27))。
【００９５】
IV. 本発明の実施形態(4) として、前回の着信電話番号をキーとする認証方法を説明する。
【００９６】
図１１は、前回の着信電話番号をキーとする認証方法を示したものであって、図８の場合と同じものを同じ番号で示している。
【００９７】
[1] 移動端末１から、発呼要求信号に前回の着信電話番号を設定して送出する((1)) 。
[2] 移動通信用交換機３の対基地局信号送受信部３１において、発呼要求信号を受信して((2)) 、発信制御部３２を起動する((3)) 。
[3] 発信制御部３２は、データベース制御部３４を起動し((4)) 、データベース制御部３４から、対交換機信号送受信部３３，固定網用交換機４を介して、データベース交換機５の前回データ情報管理部５１に対して、前回着信電話番号の収集要求を行なう((5),(6),(7)) 。
【００９８】
[4] 前回データ情報管理部５１において、該当加入者の前回着信電話番号を検索し、固定網用交換機４を経て、移動通信用交換機３において、対交換機信号送受信部３３を介してデータベース制御部３４に送出し((8),(9),(10))、データベース制御部３４から発信制御部３２に通知する((11))。
【００９９】
[5] 発信制御部３２から、移動端末１から受信した前回着信電話番号と、データベース制御部３４から受信した前回着信電話番号とを設定して、認証（データ照合）制御部３５を起動する((12))。
[6] 認証（データ照合）制御部３５は、移動端末１側の前回着信電話番号と、データベース制御部３４側の前回着信電話番号とを比較し、比較結果を設定して発信制御部３２を起動する((13))。
【０１００】
[7] 発信制御部３２において比較結果を判定して、判定結果が正常であればデータベース制御部３４を起動し((14))、データベース制御部３４から対交換機信号送受信部３３，固定網用交換機４を介して、データベース交換機５に今回着信電話番号を送出する((15),(16),(17))。また、対基地局信号送受信部３１，基地局２を介して、移動端末１に今回着信電話番号を送出する((18),(19),(20))。今回着信電話番号を受信したデータベース交換機５および移動端末１は、前回データ情報管理部５１，前回データ情報管理部１１において、前回着信電話番号を今回着信電話番号に書き換える。以上によって認証ＯＫとなり、以後、正常に通信を行なう。
【０１０１】
[8] 移動通信用交換機３の発信制御部３２において、対交換機信号送受信部３３から固定網用交換機４を経て、発呼要求信号を送出する((21),(22),(23))。
【０１０２】
以下、クローン端末検出（本発明方法による認証ＮＧ）時の対処方法を説明する。
【０１０３】
本発明方法によって認証ＮＧとなったときの対処方法として、利用者への通知と、該当端末の発信停止と、該当端末の発信停止解除および前回データの書換えとを行なう。
【０１０４】
Ｖ．本発明の実施形態(5) として、クローン端末検出時の利用者への通知方法を説明する。
【０１０５】
図１２は、クローン端末検出時の利用者への通知方法を示したものであって、図８の場合と同じものを同じ番号で示している。図中、７は保守センタを示し、移動通信用交換機３において、４０は移動端末通知管理部である。
【０１０６】
[1] 移動通信用交換機３の発信制御部３２において、前回データ比較結果、異常を検出した((1)) 。
[2] 発信制御部３２から、異常通知を、対交換機信号送受信部３２，固定網用交換機４を介して、保守センタ７に送出する((2),(3),(4)) 。
[3] 異常通知を受信した保守センタ７では、異常情報等を表示する((5)) 。
[4] 移動通信用交換機３の発信制御部３２から移動端末通知管理部４０を起動することによって、移動端末通知管理部４０は移動端末１への通知の可否の判定を行なう((6)) 。
【０１０７】
[5] 移動端末通知管理部４０から通知可否判定結果を設定して、発信制御部３２を起動する((7)) 。
[6] 発信制御部３２は、通知可否判定結果に応じて、通知可の場合は、対基地局信号送受信部３１，基地局２を介して、移動端末１に異常通知を送出する((8),(9),(10))。なお、通知可否の判定は、通信事業者の設定によるものである。
[7] 移動端末１は、異常通知を受けたとき、異常情報等を音声またはディスプレイ上の表示によって、加入者に知らせる((11))。以後、切断処理を行なう。
【０１０８】
VI. 本発明の実施形態(6) として、クローン端末検出時の該当端末の発信停止方法を説明する。
【０１０９】
図１３は、クローン端末検出時の該当端末の発信停止方法を示したものであって、図８の場合と同じものを同じ番号で示している。
【０１１０】
[1] 移動通信用交換機３の発信制御部３２において、前回データの比較結果、異常を検出した((1)) 。
[2] 発信制御部３２から、異常通知を設定して、データベース制御部３４を起動する((2)) 。
[3] データベース制御部３４は、異常通知を、対交換機信号送受信部３３，固定網用交換機４を介して、データベース交換機５の加入者データ管理部５２へ送出する((3),(4),(5)) 。
【０１１１】
[4] 加入者データ管理部５２は、受信した異常通知に応じて、該当加入者を発信停止加入者に変更する((6)) 。
[5] 加入者データ管理部５２は、発信停止変更完了通知を、固定網用交換機４から移動通信用交換機３の対交換機信号送受信部３３を介して、データベース制御部３４に送出する((7),(8),(9)) 。
[6] データベース制御部３４は、発信停止変更完了通知を設定して、発信制御部３２を起動する((10))。以後、切断処理を行なう。
【０１１２】
VII.本発明の実施形態(7) として、クローン端末検出時の正規利用者による該当端末の発信停止解除, 前回データ書換え方法を説明する。
【０１１３】
図１４は、クローン端末検出時の正規利用者による該当端末の前回データ書換え方法を示したものであって、図８の場合と同じものを同じ番号で示している。図中、移動通信用交換機３において、４１はパスワード照合部である。
【０１１４】
[1] 正規利用者は、移動端末１から特番（発信停止解除またはデータ書換え用）とパスワードを投入する。
[2] 移動端末１から、発信停止解除／データ変更要求信号に、パスワードおよび前回データを設定して、基地局２を介して移動通信用交換機３に送出する((1),(2)) 。
[3] 移動通信用交換機３の対基地局信号送受信部３１は、発信停止解除／データ変更要求信号を受信して、発信制御部３２を起動する((3)) 。
【０１１５】
[4] 発信制御部３２は、データベース制御部３４を起動し((4)) 、データベース制御部３４は対交換機信号送受信部３３，固定網用交換機４を介して、データベース交換機５の加入者データ管理部５２に対して、該当加入者のパスワード収集要求を行なう((5),(6),(7)) 。
[5] 加入者データ管理部５２において、該当加入者のパスワードを設定して、固定網用交換機４から移動通信用交換機３の対交換機信号送受信部３３を介して、データベース制御部３４に通知する((8),(9),(10))。
【０１１６】
[6] データベース制御部３４において、パスワードを設定して、発信制御部３２を起動する((11))。
[7] 発信制御部３２において、移動端末１から受信したパスワードと、データベース制御部３４から受信したパスワードとを設定して、パスワード照合部４１を起動する((12))。
[8] パスワード照合部４１において、移動端末１からのパスワードと、データベース制御部３４からのパスワードとを照合して、照合結果を発信制御部３２に通知する((13))。
【０１１７】
[9] 発信制御部３２において照合結果を判定して、判定結果が正常であれば、移動端末１から受信した前回データを設定して、データベース制御部３４を起動する((14))。
[10] データベース制御部３４から、前回データを設定して、データ変更要求を、対交換機信号送受信部３３，固定網用交換機４を介して、データベース交換機５の前回データ情報管理部５１に送出する。前回データ情報管理部５１は、前回データを受信した前回データに書き換える((15),(16),(17))。
【０１１８】
[11] 移動通信用交換機３の発信制御部３２において、発信停止解除要求を設定して、データベース制御部３４を起動する((18))。
[12] データベース制御部３４から発信停止解除要求を、対交換機信号送受信部３３から固定網用交換機４を介して、データベース交換機５の加入者データ管理部５２に送出する。加入者データ管理部５２は、該当加入者の発信停止を解除する((19),(20),(21))。
【０１１９】
[13] 移動通信用交換機３の発信制御部３２から、対基地局信号送受信部３１，基地局２を介して移動端末１に、完了通知を送出する((22),(23),(24))。以後、正規利用者による通信を、正常に行なえるようになる。
【０１２０】
図１５は、移動通信用交換機内の前回データ比較フローを示したものであって、上述の各実施形態における、移動通信用交換機内における前回データ比較時の処理を説明している。
【０１２１】
図１６は、移動通信用交換機内のデータ比較異常時のフローを示したものであって、上述の各実施形態における、移動通信用交換機内における前回データ比較結果、異常であったときの処理を説明している。
【０１２２】
図１７は、移動通信用交換機内のデータ書換えフローを示したものであって、上述の各実施形態における、移動通信用交換機内における前回データ書換え時の処理を説明している。
【０１２３】
【発明の効果】
以上説明したように本発明によれば、移動端末の認証方法として、前回のデータ（利用時間，エリア情報，認証演算結果，着信電話番号等）を利用して認証を行なうようにしたので、確実にクローン端末を検出することができる。本発明の認証方法は、従来の認証方法と併用することができる。
【０１２４】
また本発明によれば、クローン端末を検出したとき、この端末を発信停止にすることによって、クローン端末の悪用を防止することができる。
【０１２５】
さらに本発明によれば、クローン端末検出時、移動端末と保守センタに通知することによって、クローン端末の存在を認識することが可能となる。
【０１２６】
クローン端末検出時の、端末の発信停止解除と前回のデータ変更を加入者が行なえるので、保守センタへの申請等を行なう必要がなくなる。
【図面の簡単な説明】
【図１】前回の利用時間（時刻）をキーとする認証方法を示す図である。
【図２】発信要求時にデータ比較を行なう方法を示す図である。
【図３】通常の認証と同時にデータ比較を行なう方法を示す図である。
【図４】エリア情報を示す図である。
【図５】利用者への通知方法を示す図である。
【図６】交換機からの自動発信停止方法を示す図である。
【図７】データベース交換機内のデータ変換方法を示す図である。
【図８】前回の発信時刻をキーとする認証方法を示す図である。
【図９】前回の利用基地局番号をキーとする認証方法を示す図である。
【図１０】前回の認証演算結果をキーとする認証方法を示す図である。
【図１１】前回の着信電話番号をキーとする認証方法を示す図である。
【図１２】クローン端末検出時の利用者への通知方法を示す図である。
【図１３】クローン端末検出時の該当端末の発信停止方法を示す図である。
【図１４】クローン端末検出時の正規利用者による該当端末の前回データ書換え方法を示す図である。
【図１５】移動通信用交換機内の前回データ比較フローを示す図である。
【図１６】移動通信用交換機内のデータ比較異常時のフローを示す図である。
【図１７】移動通信用交換機内のデータ書換えフローを示す図である。
【図１８】従来の移動端末の認証方式を示す図である。
【符号の説明】
１  移動端末
２  基地局
３  移動通信用交換機
５  データベース交換機
７  保守センタ
１１  前回データ情報管理部
５１  前回データ情報管理部
【図１】
0003684521.tif 000002
【図２】
0003684521.tif 000003
【図３】
0003684521.tif 000004
【図４】
0003684521.tif 000005
【図５】
0003684521.tif 000006
【図６】
0003684521.tif 000007
【図７】
0003684521.tif 000008
【図８】
0003684521.tif 000009
【図９】
0003684521.tif 000010
【図１０】
0003684521.tif 000011
【図１１】
0003684521.tif 000012
【図１２】
0003684521.tif 000013
【図１３】
0003684521.tif 000014
【図１４】
0003684521.tif 000015
【図１５】
0003684521.tif 000016
【図１６】
0003684521.tif 000017
【図１７】
0003684521.tif 000018
【図１８】
0003684521.tif 000019